(57)【特許請求の範囲】
【請求項１】
先端が閉じられた金属製のチューブと、このチューブ内の先端側に配置された温度センサ素子と、このチューブ内において該温度センサ素子の後方に配置され、該温度センサ素子の電極線と接続された中継線を自身の内側に通してなる絶縁管と、この絶縁管の後端から引き出された該中継線の後端と接続されて前記チューブの後端から外部に引き出されたリード線と、該チューブの後端寄り部位の内部に配置されて該リード線を自身の内部を通して外部に引き出しているシール部材とを備える温度センサにおいて、
前記チューブ内に、前記絶縁管の後端寄り部位及び該絶縁管の後端から後方に引き出されている前記中継線の後端寄り部位を、先後に連ねて包囲するように筒状又はリング状をなす包囲部材が配置されており、しかも、該包囲部材の内周面側には、電気的絶縁性を有する充填材が充填され、該充填材によって、該包囲部材の内周面と、前記絶縁管の後端寄り部位及び前記絶縁管の後端から後方に引き出されている前記中継線の後端寄り部位の先後に連なるこの両後端寄り部位の外周面との間が接着されてなることを特徴とする温度センサ。
【請求項２】
前記包囲部材は、その内径が、先端寄り部位が小径で、後端寄り部位が大径に形成されており、その小径の先端寄り部位で、前記絶縁管の後端寄り部位に隙間嵌めを保持して外嵌されていることを特徴とする、請求項１に記載の温度センサ。
【請求項３】
前記チューブの内周面と、前記絶縁管の外周面との間における、先後方向の少なくとも一部の空間が、電気的絶縁性を有する充填材で充填されていることを特徴とする請求項１又は２のいずれか１項に記載の温度センサ。
【請求項４】
前記チューブは、その内径が小径の小径筒部と、この後方において円環状をなし、かつ後方に向けて拡径する拡径部を介して大径をなす大径筒部を有しており、前記包囲部材は、その先端を該拡径部の後端向き面に係止させて該大径筒部内に配置されていることを特徴とする、請求項１〜３のいずれか１項に記載の温度センサ。
【請求項５】
請求項４において、前記包囲部材は、その先端を前記チューブにおける前記後端向き面に係止させた際において、該チューブ内における該包囲部材の先端より先方と後方との両空間の連通を保持し得る形状又は構造を有していることを特徴とする請求項１〜４のいずれか１項に記載の温度センサ。
【請求項６】
前記絶縁管の中継線挿通用の孔の少なくとも先端寄り部位に、電気的絶縁性を有する充填材が充填されていることを特徴とする、請求項１〜５のいずれか１項に記載の温度センサ。
【請求項７】
前記包囲部材は金属製とされ、前記チューブのうち、該包囲部材に対応する先後部位が縮径状にカシメ加工されることにより、該包囲部材が該チューブの内面にて挟圧されて保持されてなることを特徴とする請求項１〜６のいずれか１項に記載の温度センサ。
【請求項８】
前記チューブの内側であって前記包囲部材の後方に、前記中継線の後端寄り部位を絶縁材を介して包囲する金属製のリング又はパイプが配置されていると共に、
該金属製のリング又はパイプは、自身の先端を前記包囲部材の後端に当接状態とされ、かつ、前記チューブのうち、該金属製のリング又はパイプに対応する先後部位が縮径状にカシメ加工されることにより、該チューブの内面にて挟圧されて保持されていることを特徴とする、請求項１〜７のいずれか１項に記載の温度センサ。
【発明の詳細な説明】
【技術分野】
【０００１】
本発明は、エンジンの排気ガスなどの流体の温度を測定するための温度センサに関する。詳しくは、金属製で先端が閉じられたチューブ（有底チューブ又はキャップ）内の先端部分に、サーミスタなどの温度センサ素子が配置され、そのチューブの先端が排気ガスに晒されるように排気マニホルド（排気ガス管）に取り付けられて排気ガス温度を測定するのに好適な温度センサに関する。
【背景技術】
【０００２】
この種の温度センサ（以下、単にセンサともいう）としては、従来、種々の構造のものが提案されている（例えば、特許文献１参照）。この特許文献１に開示されている温度センサは、先端が閉じられた金属製のチューブ内における先端に、ガラスなどでコーティングされた温度センサ素子（以下、センサ素子又は単に素子とも言う）が配置されている。このセンサ素子は、例えば支持体を介して碍子管等の絶縁管（碍管）の先端に配置され、充填されたセメント等の充填材にて碍子管の先端部位と共にチューブ内に固定されるのが普通である。そして、この素子から引き出されている電極線、及びその後端に溶接されて後方に延び、外部に引き出されるリード線と接続するための中継用の電線（以下、中継線という）は碍子管内を通され、碍子管の後方に引き出されている。なお、この碍子管は、内部に中継線挿通用の孔が２つ平行に形成されており、２本の中継線はそれぞれこの孔を通されて絶縁が保持されている。
【０００３】
このような構造のセンサでは、碍子管の後端から後方に引き出されている中継線の後端には、端子金具を介してリード線の先端が接続されている。そして、このリード線は、チューブの後端寄り部位内に配置、固定されたシール（気密、液密）保持用のシール部材（ゴム）を先後に貫通して外部に引き出されている。また、このチューブにおける後端寄り部位には、例えば縮径状のカシメ加工が施され、これによってシール部材を圧縮することで、後端部におけるシールの確保とともに、リード線を固定している。このようなセンサは、チューブに外嵌して固定されてなる、例えばネジ付きの取付金具を介して排気マニホルドなどの取付け対象部位にねじ込み方式で取り付けられ、その使用に供される。
【０００４】
ところで、このような温度センサは、後端部から引き出されているリード線に、エンジンの振動等の外力のみならず、温度センサと他の装置（例えば、エンジン制御装置）との接続時やメンテナンスの際などにおいて、作業者により外方（後方）に向けて、大きな引張り力が作用することがある。一方、素子から延びている電極線は０．２ｍｍ程度と極めて細く、したがって強度が低い。他方、中継線はこれより太いが、電極線と中継線との接続部をなす溶接部は相対的に強度が低くなりがちである。このため、センサの後端部から引き出されているリード線に、過大な引張り力が作用すると、それがチューブの後端においてシール部材で固定されているとはいえ、センサ内において中継線に過大な引張り力が作用する。これにより、その先方に位置する素子の電極線やそれと中継線との接続部（溶接部）において断線が発生することがあった。
【０００５】
このための対策として、碍子管内（中継線挿通用の孔内）に充填材を充填、固化して、素子から後方に延びる電極線、その後方の中継線との溶接部、又は中継線におけるこの溶接部より後方の部位を、碍子管の内面（孔の内面）と一体化（接着ないし固定）することが考えられる。このようにすることで、溶接部及びそれより先端側の低強度部に引張り力が作用しないようにする、というものである。ところが、碍子管内部の中継線挿通用の孔は、例えば、その直径（内径）が、０．８ｍｍ程度と細い。しかも、そこに通されている中継線の太さは、上記したようにその直径（外径）が、０．５ｍｍ程度であることから、その隙間は微小である。また、充填材は通常、粘性が高い（流動性の低い）ため、このような微小な孔内の隙間に、所望とする所定範囲に充填することは、それを例えば碍子管の後端側から圧送するとしても円滑に行うことはできない。
【０００６】
こうした中、碍子管の先端側に、素子、支持体を配置し、素子から後方に延びる電極線、及びこれに接続された中継線を碍子管に、その後方に向けて引き込む前に、碍子管の先端に（中継線の部位）所定量の軟化状態にある充填材（例えば無機接着剤）を塗布し、その状態の下で、中継線の後端を碍子管の後端から後方に引張ることで、その充填材を碍子管の内部に同時に引き込み、固化させる方法（以下、引き込み充填法）が提案されている（特許文献１）。
【０００７】
また、本願発明者は、スラリー状をなすセメントを、真空ポンプに接続したタンク（槽）内に入れておき、碍子管の先端に素子、支持体を配置すると共に、素子の電極線に接続した中継線を碍子管の後端から引き出して成る仕掛組付け体を、その碍子管の先端をセメント（スラリー）中に液没させ、後端をスラリーの液面上に突出させ、その状態で、槽内部の上の空間を減圧する真空引きをして、碍子管の先端（下端）における隙間から、碍子管内部の空気を抜いて、その内部にセメントを吸い込ませることで、碍子管内の孔の内周面と中継線との微小な隙間にセメントを充填する方法（以下、真空充填法）も試行してみた。
【先行技術文献】
【特許文献】
【０００８】
【特許文献１】特開２０１１−２４７８０１号公報
【発明の概要】
【発明が解決しようとする課題】
【０００９】
上記した特許文献１に記載の技術（引き込み充填法）では、引き込み得る充填材の量が少なく、しかも、その量にバラツキが大きい。このため、充填材の固化後においても、碍子管内における中継線との密着や、密着面積、及びそれに基づく固定力も不安定であるという課題がある。また、この技術では充填材を碍子管の先端から後方へ引き込み得る範囲も自ずと小さい。
【００１０】
さらに、上記した真空充填法では、減圧、真空過程におけるその開始当初の空気が碍子管上端（後端）から碍子管内に入り込んで、その先端（下端）側の隙間から排出されることになり、その排出に対応して、その先端から内部にセメントが入り込む。一方、真空引き停止時において、槽上部を大気圧に戻すと同時に、碍子管内にその上端から大気が引き込まれてしまう作用を受ける。そして、この大気の侵入により、碍子管の内部に入り込んでいたセメントは押し下げられて、その先端において排出されてしまう（吐き出されてしまう）という問題があった。このため、真空充填法でも、満足いく充填材の充填は得られず、したがって、リード線の外部からの引張り力に対し、十分に抗することはできないという問題があった。
【００１１】
上記したように、碍子管内、すなわち、その中継線挿通用の孔内においてのみで、中継線を充填材で強固に接着ないし固定することには限界があった。このように、上記従来技術では、センサの外部に引き出されているリード線に過大な引張り力が作用したとき、素子の電極線、及びそれと中継線との溶接部などの低強度部の断線防止策としては限界があった。本発明は、温度センサにおけるこうした問題点に鑑みてなされたもので、センサ外部からリード線に過大な引張り力が作用しても、素子の電極線や、それと中継線との溶接部等の低強度部の断線防止策として十分な効果の得られるセンサの構造を提供することをその目的とする。
【課題を解決するための手段】
【００１２】
前記の目的を達成するため、請求項１に記載の本発明は、先端が閉じられた金属製のチューブと、このチューブ内の先端側に配置された温度センサ素子と、このチューブ内において該温度センサ素子の後方に配置され、該温度センサ素子の電極線と接続された中継線を自身の内側に通してなる絶縁管と、この絶縁管の後端から引き出された該中継線の後端と接続されて前記チューブの後端から外部に引き出されたリード線と、該チューブの後端寄り部位の内部に配置されて該リード線を自身の内部を通して外部に引き出しているシール部材とを備える温度センサにおいて、
前記チューブ内に、前記絶縁管の後端寄り部位及び該絶縁管の後端から後方に引き出されている前記中継線の後端寄り部位を、先後に連ねて包囲するように筒状又はリング状をなす包囲部材が配置されており、しかも、該包囲部材の内周面側には、電気的絶縁性を有する充填材が充填され、該充填材によって、該包囲部材の内周面と、前記絶縁管の後端寄り部位及び前記絶縁管の後端から後方に引き出されている前記中継線の後端寄り部位の先後に連なるこの両後端寄り部位の外周面との間が接着されてなることを特徴とする。
【００１３】
請求項２に記載の本発明は、前記包囲部材は、その内径が、先端寄り部位が小径で、後端寄り部位が大径に形成されており、その小径の先端寄り部位で、前記絶縁管の後端寄り部位に隙間嵌めを保持して外嵌されていることを特徴とする、請求項１に記載の温度センサである。
請求項３に記載の本発明は、前記チューブの内周面と、前記絶縁管の外周面との間における、先後方向の少なくとも一部の空間が、電気的絶縁性を有する充填材で充填されていることを特徴とする請求項１又は２のいずれか１項に記載の温度センサである。
【００１４】
請求項４に記載の本発明は、前記チューブは、その内径が小径の小径筒部と、この後方において円環状をなし、かつ後方に向けて拡径する拡径部を介して大径をなす大径筒部を有しており、前記包囲部材は、その先端を該拡径部の後端向き面に係止させて該大径筒部内に配置されていることを特徴とする、請求項１〜３のいずれか１項に記載の温度センサである。
請求項５に記載の発明は、請求項４において、前記包囲部材は、その先端を前記チューブにおける前記後端向き面に係止させた際において、該チューブ内における該包囲部材の先端より先方と後方との両空間の連通を保持し得る形状又は構造を有していることを特徴とする請求項１〜４のいずれか１項に記載の温度センサである。
【００１５】
請求項６に記載の本発明は、前記絶縁管の中継線挿通用の孔の少なくとも先端寄り部位に、電気的絶縁性を有する充填材が充填されていることを特徴とする、請求項１〜５のいずれか１項に記載の温度センサである。
請求項７に記載の発明は、前記包囲部材は金属製とされ、前記チューブのうち、該包囲部材に対応する先後部位が縮径状にカシメ加工されることにより、該包囲部材が該チューブの内面にて挟圧されて保持されてなることを特徴とする請求項１〜６のいずれか１項に記載の温度センサである。
【００１６】
請求項８に記載の発明は、前記チューブの内側であって前記包囲部材の後方に、前記中継線の後端寄り部位を絶縁材を介して包囲する金属製のリング又はパイプが配置されていると共に、
該金属製のリング又はパイプは、自身の先端を前記包囲部材の後端に当接状態とされ、かつ、前記チューブのうち、該金属製のリング又はパイプに対応する先後部位が縮径状にカシメ加工されることにより、該チューブの内面にて挟圧されて保持されていることを特徴とする、請求項１〜７のいずれか１項に記載の温度センサである。
【発明の効果】
【００１７】
請求項１に記載の本発明のセンサにおいて、チューブの後端から後方に引き出されているリード線に対し、後方に向けて引張り力が作用すると、その引張り力はセンサ内に位置する中継線の後端側に及ぶ。しかし、本発明では、上記構成のように、包囲部材の内周面側に充填材が充填され、該充填材によって、該包囲部材の内周面と、前記絶縁管の後端寄り部位及び前記絶縁管の後端から後方に引き出されている前記中継線の後端寄り部位の先後に連なるこの両後端寄り部位の外周面との間が接着されている。これにより、本発明のセンサでは、前記絶縁管の後端寄り部位に、該絶縁管の後端から後方に引き出されている前記中継線の後端寄り部位が固定される。このため、本発明では、リード線に対し、後方に向けて過大な引張り力が作用したとしても、その引張り力は、中継線がその後端寄り部位において充填材を介して固定されている絶縁管に及ぶことになる。すなわち、そのような引張り力がかかったとしても、中継線の後端寄り部位において固定されている絶縁管を後方に引張る（引き寄せる）ことになるに止まり、その引張り力は、中継線におけるその固定部位より先方に位置する、素子の電極線との溶接部や、素子の電極線のような低強度部には及ばない。よって本発明によれば、リード線に対し、後方に向けて過大な引張り力が作用したとしても、そのような低強度部の断線防止効果が得られる。
【００１８】
上記構成に示したように本発明では、その断線防止のための手段が、従来の手段である上記「引き込み充填法」、或いは上記「真空充填法」によって得られるものとは、全く異なる。すなわち、本発明は、センサの組立、製造過程において、絶縁管に中継線を通す際、或いは通した後で、その内部の孔と中継線との隙間に充填する充填材にて中継線を絶縁管に固定するという上記従来技術とは全く異なる。このため、本発明では、上記従来技術におけるような充填材の充填におけるその量のバラツキなどによる充填の不安定さ、或いは充填工程における上記した問題もない。
【００１９】
すなわち、詳細は後述するが、例えば、センサの組立、製造過程においては、絶縁管の先端側において、中継線の先端と素子の電極線とを溶接した後、その中継線の後端を絶縁管の後端から後方に引き出し、その後、絶縁管の後端寄り部位に包囲部材を外嵌して位置決め配置し、その状態の下で、包囲部材の内周面側にその後端側から適量の充填材を注入等して充填し、固化させればよい。このような充填作業による場合には、上記従来技術と比べると、充填における困難さもなく、したがって充填量のバラツキもないので、簡易、合理的に充填材の充填ができる。このように本発明では、その構成に基づき、中継線をその後端寄り部位において、簡易、合理的に、絶縁管に固定できる。なお、充填材は、セメントや樹脂などから、適宜に選択して使用すればよい。
【００２０】
包囲部材は、上記のように、前記絶縁管の後端寄り部位及び該絶縁管の後端から後方に引き出されている前記中継線の後端寄り部位を、先後に連ねて包囲するように筒状又はリング状をなすものであればよい。したがって、その内周面は先後にストレート（同内径）でもよい。しかし、請求項２に記載の構成とすることで、その充填が容易となる。しかも、包囲部材の内周面のうち、その後端寄り部位の容積を大きくできることから、中継線の後端寄り部位の固定力を高めることができる。なお、絶縁管に外嵌する先端寄り部位の内径は、充填材の接着力、固定力に基づいて適宜の隙間が得られるように設定すればよい。また、請求項３に記載の本発明のようにすることで、絶縁管はチューブの内周面との間でも固定されるため、リード線に過大な引張り力が作用しても、一層、上記断線防止効果が高められる。
【００２１】
請求項４に記載の本発明によれば、その構成により、センサの組立において、充填材の充填により絶縁管に固定されている包囲部材を含む素子等からなる組付け体を、チューブ内に挿入する際には、その大径筒部の先端の拡径部内の後端向き面に、包囲部材の先端を係止させることでその先後方向の位置決めができる。このため、センサの組立において、絶縁管の先端側に配置される素子がチューブの先端の正規（設計）位置になるように配置するのが容易となる。
【００２２】
請求項５に記載の発明によれば次の効果が得られる。請求項４において、包囲部材の先端をチューブにおける前記後端向き面に係止させる場合、横断面が共に円であるとすると、チューブ内においては、包囲部材の先端より先方と後方との両空間が遮断される形となる。すなわち、包囲部材の先端より先方が閉塞空間又はそれに近い状態となりやすい。一方、センサの組立において、絶縁管に固定されている包囲部材を含む素子等からなる組付け体を、チューブ内に挿入する際には、その前に、チューブ内に適量の未固化状態の充填材を注入しておくのが好ましい。このようにしておけば、容易に請求項３の構成を得ることができるためである。しかし、その組付け体の挿入により、前記したように先端側が閉塞空間となると、その充填材の固化が妨げられる。例えば、充填材にセラミック系セメントを用いる場合、その固化過程で発生する水分が外部に放出されにくくなるから、その固化の円滑化が妨げられる。これに対し、請求項５に記載の発明によれば、そのような閉塞がなくなるから、こうした問題の発生が防止ないし緩和される。なお、請求項５において、両空間の連通を保持する形状又は構造としては、該包囲部材の外周面のうちの少なくとも先端寄り部位に、該包囲部材の先端に向けて連なる凹部、切欠き、又は面取りを形成してなるものが例示される。しかし、両空間の連通を保持できればよいため、該包囲部材の外周面が円筒面を有するものである場合、その外周面の一部を軸線に平行に平面でカットした形状としてもよい。また、包囲部材をその外周面が多角形をなす筒形状としてもよい。さらに、外周面と先端面とが連なるトンネル（貫通穴）を設けることで連通が確保されるようにしてもよい。
【００２３】
また、請求項６に記載の本発明のように、前記絶縁管の中継線挿通用の孔の少なくとも先端寄り部位に、前記充填材を充填したものとするとよい。こうすることで、前記絶縁管に対する中継線の固定力はさらに高められるから、上記断線防止効果も高められるためである。一方、このような充填を上記「真空充填法」によるとしても、本発明ではそれが容易に実現できる。というのは、本発明では、上記包囲部材内への充填材の充填、固化を行うことにより、絶縁管の後端は封止（気密状にシール）したものとなる。このため、このような状態の仕掛品において、上記した真空充填法を行う場合には、その後の真空引き停止時において、槽上部を大気圧に戻したとしても、絶縁管内部にその上端から大気が引き込まれることがない。すなわち、従来のように、真空引きにより絶縁管の内部に入り込んでいたセメント等の充填材（スラリー等の液）が、その先端から排出されてしまうこともないため、「真空充填法」を適用できるのである。
【００２４】
前記包囲部材は、セラミック製とするのがよいが、請求項７に記載の発明のように金属製（例えば、ＳＵＳ製）として、チューブをカシメ加工してもよい。こうすることで、前記包囲部材をチューブ内において強固に、しかも簡易に固定できるためである。すなわち、このようにすることで、リード線に過大な引張り力が作用したとしても、より一層高い上記断線防止効果が得られるためである。また、請求項８に記載の発明のように、金属製のリング又はパイプを配置し、チューブのカシメ加工によって、これを固定して包囲部材が後方へ移動するのを防止するようにしてもよい。
【図面の簡単な説明】
【００２５】
【図１】本発明の温度センサを具体化した実施形態例の中央縦断面図、及びその要部の拡大図。
【図２】図１のＰ１部位の拡大図。
【図３】図２のＳ１−Ｓ１線断面図。
【図４】図２のＳ２−Ｓ２線断面図。
【図５】図１のセンサを組立てる工程の説明図。
【図６】図１のセンサを組立てる工程の説明図。
【図７】図１のセンサを組立てる工程の説明図。
【図８】図１のセンサの改良例を説明する要部拡大断面図。
【図９】図８のＳ３−Ｓ３線断面図。
【図１０】包囲部材の変形例を説明する各斜視図。
【図１１】図１のセンサの製造において、絶縁管の内部に真空充填法で充填材を充填する説明図。
【図１２】包囲部材に別例を用いた実施形態例の中央縦断面の要部拡大図。
【図１３】図１のセンサの別の改良例を説明する要部拡大断面図。
【発明を実施するための形態】
【００２６】
本発明を具体化した温度センサの実施の形態例について、図１〜７に基づいて詳細に説明する。まず本例の温度センサの全体構成から説明する。図１中、１０１は温度センサであり、先端１２が閉じられた金属製（例えば、ＳＵＳ製）のチューブ１１と、このチューブ１１内の先端１２側に配置された温度センサ素子２１等から構成されている。チューブ１１内には、素子２１の後方（図１上方）に向けて、素子２１から後方に延びる電極線２３、電極線２３を通している絶縁材からなる素子支持体３１、そして、電極線２３に接続された中継線（通電用線材）２５を通している絶縁管（碍子管）４１がそれぞれ配置されている。また、絶縁管４１の後端４５から後方においては、その後端４５か引き出された中継線２５の後端寄り部位（後端部ともいう）２６が後方に突出しており、これには端子金具２８を介してリード線５１の先端寄り部位（芯線）５３が接続されている。
【００２７】
また、チューブ１１の後端部又は後端１９寄り部位内であって、絶縁管４１の後端４５から間隔（空間）をおいた後方には、シール部材７１が配置されている。リード線５１は、その先端（寄り部位）５３を、このシール部材７１の先端７３より先方に位置させ、それより後方の部位（絶縁樹脂層（表皮）５４のある部位）をシール部材７１において先後に貫通して形成された貫通孔７７内に通している。シール部材７１は、ゴム製で、チューブ１１の後端１９寄り部位１７ｃを縮径状にカシメ加工することで同部位内において圧縮されて固定されている。
【００２８】
一方、チューブ１１の内部において、絶縁管４１の後端寄り部位４７には、本発明の要部をなすところの、筒状又はリング状をなす包囲部材８１が、絶縁管４１の後端４５を先後に挟む（跨ぐ）配置で外嵌されて配置されている。これにより、この包囲部材８１は、絶縁管４１の後端寄り部位４７、及びその後端４５から引き出されている中継線２５の後端寄り部位２６を包囲している。ただし、包囲部材８１は、本例ではセラミック製（例えば、アルミナ製）とされ、その内径が後端側が大径をなす異径のものとされている。そして、この包囲部材８１は、その先端８２側の内径の小さい先端寄り部位（小内径部）において絶縁管４１の後端寄り部位４７に隙間嵌めで外嵌されている。また、その後端８３側の内径の大きい後端寄り部位（大内径部）において、絶縁管４１の後端４５から後方に引き出されている中継線２５の後端部寄り部位２６を包囲している。そして、この包囲部材８１の内径の大きい後端８３側の内周面８４と中継線２５の後端寄り部位２６の外周面との間、および、内径の小さい先端８２側の内周面８５と、絶縁管４１の後端寄り部位４７の外周面４６との隙間には、先後に連なる形で、電気的絶縁性及び接着力のあるアルミナを主成分とするセラミック系セメントからなる充填材９０が、ダブルハッチングで示したように充填され、固化したものとされている。詳細は後述するが、これにより、包囲部材８１の内周面８４，８５と、中継線２５及び絶縁管４１の各後端寄り部位２６，４７における外周面との間（隙間）は接着され、固定されている。
【００２９】
また、本例センサ１０１では、中継線２５の後端部２６、及びリード線５１の先端寄り部位５３、そして、この両者を接続している端子金具２８を含む配線部位が、包囲部材８１の後端８３と、シール部材７１の先端７３との間に位置するように設定されている。そして、この各配線（金属線）部位には、絶縁確保のため、それぞれ絶縁材から成るパイプ９５が外嵌されている。このような本例のセンサ１０１は、チューブ１１に外嵌、固定された取付金具６１を介して排気マニホルド等の取付け対象部位に取り付けられるよう構成されている。次に、上記センサの各部位の詳細について説明する。
【００３０】
まず、チューブ１１について説明する。本例では、図１等に示したように、先端１２から後端（図１上端）１９に向けて、三段階で順次、大径をなす同心異径の円筒状に形成されている。具体的には、その先端寄り部位であって、先端１２から後方に向かう所定範囲が小径の素子収容部１３をなしている。そして、この素子収容部１３に続く後方には拡径部を介してそれより大径の直管部からなり、その内側に、絶縁管４１の先端寄り部位を微小な隙間を保持して同心状に配置可能の絶縁管先端寄り部位収容部１４を有している。
【００３１】
このようなチューブ１１における絶縁管先端寄り部位収容部１４の後方には、拡径部を介して、該収容部１４より大径の直管部１５が連続して形成されている。この直管部１５は、上記した取付金具６１を同心状に外嵌させる取付金具取り付け部（以下、取付金具取り付け部１５）をなしている。そして、チューブ１１におけるこの取付金具取り付け部１５の後方には、円環状をなし、かつ後方に向けて拡径する拡径部１６を介して相対的に大径をなす大径筒部（以下、後端側大径筒部）１７を有している。この後端側大径筒部１７は、内部に絶縁管４１の後端寄り部位４７、包囲部材８１、及びシール部材７１等を配置させ得るよう形成されている。
【００３２】
一方、絶縁管４１は、内部に軸線Ｇに沿って貫通状に形成された、中継線挿通用の２つの孔４８を有し、外径（横断面）が一定の細長い円管である。そして、その先端４３に、本例では絶縁部材である素子支持体（セラミック部材）３１を介して、ガラスでコーティングされたセンサ素子２１がその後端を押付けるようにして配置されている。なお、絶縁材からなる素子支持体３１は、絶縁管４１より小径で、センサ素子２１の後端より大径の円筒状をなしている。また、この素子２１から後方に延びる２本の電極（電極線）２３は、それぞれが素子支持体３１中を通され、絶縁管４１の各孔４８を通されて後方に延び、中継線２５の先端寄りの所定部位（接続部２５ｗ）において溶接されている。このように、素子収容部１３内には、先端側からセンサ素子２１、素子支持体３１が位置しており、絶縁管４１がその先端寄り部位を絶縁管先端寄り部位収容部１４内に位置するようにして、それぞれチューブ１１内に同心状に配置されている。また、絶縁管４１の後端４５は、取付金具取り付け部１５の後方の後端側大径筒部１７内の先端寄り部位に位置している。なお、本例では、チューブ１１における取付金具取り付け部１５の後端より、チューブ１１の先端１２までの内周面と、絶縁管４１、支持体３１、及びセンサ素子２１の各外周面との隙間に、図中、ダブルハッチングで示したようにアルミナを主成分とするセラミック系セメントからなる充填材（以下、第２充填材という）１９０が充填され、これにより素子２１等が固定されている。
【００３３】
そして、前記もしたように、絶縁管４１の後端寄り部位４７は、包囲部材８１が、絶縁管４１の後端４５を先後に挟む（跨ぐ）配置と成るようにして外嵌されている。これにより包囲部材８１は、絶縁管４１の後端４５から引き出されている中継線２５の後端寄り部位２６を包囲している。ただし、包囲部材８１は、その内径が、先端寄り部位が小径で、後端寄り部位が大径に形成されており、その小径の先端寄り部位（小内径部）で、絶縁管４１の後端寄り部位４７に隙間を保持して外嵌されている。本例では、絶縁管４１等がチューブ１１内に組み付けられる前の組立工程で、その先端側の内径の小さい小内径部において絶縁管４１の後端寄り部位４７に隙間嵌めで外嵌され、絶縁管４１の後端４５から中継線２５が設計寸法通りに後方に引き出されている状態において、後端側の内径の大きい大内径部の内側に、その後方から電気的絶縁性及び接着力のある充填材９０が充填され、固化したものとされている。なお、充填材９０は、包囲部材８１の後端８３から若干盛り上がるように充填されている。
【００３４】
これにより、充填材９０は、包囲部材８１の大内径部の内周面８４と中継線２５の後端寄り部位との間、及び包囲部材８１の小内径部の内周面８５と、それが隙間嵌めされている絶縁管４１の後端寄り部位４７の外周面４６との間（隙間）を接着して固定している。しかも、包囲部材８１の内側に、その後方から充填材９０を充填する際には、充填材は絶縁管４１の後端４５の面にも接着される上、そこおいて開口する各孔４８と、そこに通されている中継線２５との隙間にも、先方に向けてある程度の量が充填されている。これにより、その孔４８の中においても、中継線２５を絶縁管４１に接着する形で固定している。このように、本例では、中継線２５の後端部寄り部位２６は、絶縁管４１の後端寄り部位４７に、充填材９０を介して固定されており、充填材９０は包囲部材８１の内周面８４，８５にも接着されていることから、これら３者は絶縁管４１の後端寄り部位４７において一体化（固定）されている。なお、本例では包囲部材８１として、大内径部と小内径部を有するものとし、大内径部と小内径部の境界に位置する後端向き面８７が絶縁管４１の後端４５と一致させられて、両者を位置決めしている（図２参照）。ただし、この後端向き面８７は、絶縁管４１の後端４５より先端側に位置させてもよいし、後端側に位置させてもよい。また、包囲部材８１の内周面は先後にストレートとしてもよいなど、その構造に限定はない。
【００３５】
また本例では、包囲部材８１の先端８２における外周縁が、チューブ１１における取付金具取り付け部１５の後端と、後端側大径筒部１７の先端との境界に位置する円環状の拡径部１６における後端向き面１６ａに係止されて配置されている。本例における包囲部材８１においては、その先端寄り部位の外周面８６と、先端８２とのなす角に、図２中、破線で示したように、周方向において１又は複数所の切り込み８８を形成しておくとよい。すなわち、この切り込み（溝）８８により、チューブ１１内における包囲部材８１の先端８２より先方の空間と、後方の空間とを、包囲部材８１の外周面８６とチューブ１１の内周面との隙間を介して連通するように形成しておくとよい。詳細は後述する。
【００３６】
また、チューブ１１の後端側大径筒部１７内に配置されたシール部材７１は、本例では概略円柱状をなしている。そして、包囲部材８１の内側に充填された充填材９０にて固定された中継線２５の後端寄り部位２６は、包囲部材８１及び充填材９０の後端より後方に突出させられており、その端には外側に張出した張出し部２６ａを有している（図２参照）。一方、外部に引き出されている各リード線５１における先端寄り部位（芯線）５３は、シール部材７１の先端７３より先方に位置しており、これに端子金具２８の圧着部２９が圧着されている。そして、この圧着部２９の先端の接続片２８ａが、中継線２５の後端部２６における張出し部２６ａに溶接により接続（固定）されている。また、上記もしたように、包囲部材８１の後端８３と、シール部材７１の先端７３との間において位置する、各中継線２５の後端寄り部位２６とリード線５１の先端との接続部を含む先後の配線部位には絶縁材から成るパイプ９５が外嵌されて、電気的絶縁が確保されている。
【００３７】
他方、シール部材７１には、その先端７３と後端７２との間において軸線Ｇを挟んで平行に貫通、形成された貫通孔７７内が設けられており、リード線５１は、ここを通されている。しかして、このようなシール部材７１は、チューブ１１の後端側大径筒部１７の後端寄り部位１７ｃが縮径状にカシメ加工されることで、その内部に固定されている。これにより、その後端側大径筒部１７の内周面とシール部材７１の外周面との間のシールと共に、貫通孔７７の内周面と、そこに通されている各リード線５１の表皮である絶縁樹脂層５４の外周面との間のシールが保持され、そして、リード線５１を固定している。
【００３８】
なお、本形態のセンサ１０１では、上記もしたようにチューブ１１における中間部の取付金具取り付け部１５に、取付金具６１が同心状に外嵌されて固定されている。この取付金具６１は、センサ１０１を排気マニホールド部位の取り付け穴（ネジ穴）に、直接、ねじ込み方式で固定する構造のものである。このため、外周面にネジ６０を備えた円筒状のねじ筒部６３を備えており、その内周面６７と取付金具取り付け部１５の外周面との隙間は、ロウ付けされている。この取付金具６１の後端側には、一体で外方に突出状に設けられたねじ込み用多角形部６６を備えている。なお、このねじ込み用多角形部６６の先端面と、ねじ筒部６３の外周面（ネジ６０の基端）には、シール保持用の環状ワッシャ６９が配置されている。
【００３９】
また、充填材９０及び第２充填材１９０に関しては、同一硬度を有するように形成されていても、それぞれ異なる硬度を有するように形成されていてもよい。上記例のセンサ１０１では、充填材９０及び第２充填材１９０として、アルミナを主成分とするセラミック系セメントを用いているが、これらを固化する前の充填材スラリーの含水量や分散材の量等を適宜、調整し、固化後において充填材９０の方が第２充填材１９０に対して高硬度とされている。なお、充填材９０、第２充填材１９０としては、材質が異なるセラミック系セメントを用いてもよく、また、セラミック系セメントに限られず温度センサの使用温度環境に応じて樹脂を用いるようにしてもよい。
【００４０】
さて次に、上記の構成を有する本例のセンサ１０１の効果について説明する。本例のセンサ１０１においては、上記したようにして中継線２５の後端寄り部位２６が、絶縁管４１の後端寄り部位４７に、充填材９０により固定されている。このため、リード線５１が外部から過大な力で引張られて、中継線２５の後端寄り部位２６に引張り力が及ぶとしても、中継線２５は絶縁管４１に対し相対的な動きを生じない。かくして、本例センサ１０１では、その引張り力が中継線２５の先方における素子２１の電極線２３との接続部（溶接部）２５ｗや、その電極線２３自体のような低強度部に及ぶことがない。これにより、従来におけるようなそれらの箇所での断線防止が図られる。
【００４１】
しかも、絶縁管４１に対して中継線２５を固定する充填材９０は、絶縁管４１の後端寄り部位４７、及びそれより後方において、すなわち、絶縁管４１の後端４５を先後に挟む包囲部材８１の内側に充填されている。このため、従来技術における充填材の充填におけるような絶縁管４１の孔の内面とそこに通されている中継線２５との微小な隙間に充填することに基づく充填作業上の問題もなく、その充填ができる。また、上記例では、包囲部材８１は後端寄り部位の内周面８４が大径に形成されているため、充填材９０を充填し易いという作業上の効果もある。
【００４２】
そして、上記例のセンサ１０１では、チューブ１１の内周面と、絶縁管４１の外周面との間における、先後方向の所定部位の空間にも、電気的絶縁性及び接着力のある第２充填材１９０が充填されている。このため、絶縁管４１はチューブ１１に対して高い固定力で固定されているから、外力や振動に対しても高い安定性を有している。
【００４３】
また、上記例では、チューブ１１内において、包囲部材８１を、その先端８２の外周縁が、拡径部１６の後端向き面１６ａに係止させられて配置されている。このため、この係止でもって、チューブ１１内への包囲部材８１等の組み付けにおけるその位置決めを行うことができるという、製造組立上の効果もある。なお、上記例では、チューブ１１の内周面と、絶縁管４１の外周面４６との間における、先後方向の所定部位の空間に第２充填材１９０が充填されているところ、上記したように、包囲部材８１の外周面８６の先端寄り部位と、先端８２とのなす角に、切り込み８８を形成した場合には、包囲部材８１の先端８２より先方の空間は閉塞空間とならない。このため、チューブ１１の内周面と、絶縁管４１の外周面との間の第２充填材１９０の固化の円滑化が図られる。
【００４４】
ところで、上記例のセンサ１０１では、絶縁管４１の後端寄り部位４７に、包囲部材８１を充填材９０の充填により固定した後の段階においては、上記した「真空充填法」を用いることもできる。したがって、絶縁管４１内の孔４８の内周面と中継線２５との微小な隙間も、充填材を充填しておくのが好ましい。この点については後述する。
【００４５】
さて次に、上記温度センサ１０１を製造する（組立てる）主要な工程について、図５〜図７に基づいて説明する。ただし、上記において既に説明済みのところは、適宜、その説明を省略する。図５−Ａに示したように、絶縁管４１の先端４３に、素子２１、及び支持体３１を配置し、素子２１の電極線２３に、先端を接続（溶接）した中継線２５を絶縁管４１内に通し、その後端４５から引きだしておく。なお、溶接は、中継線２５の先端を絶縁管４１の先端４３から引き出した状態で行えばよい。
【００４６】
次に図５−Ｂに示したように、絶縁管４１の後端寄り部位４７に、包囲部材８１を外嵌して位置決め保持した状態で、絶縁管４１を立てる。その後、図５−Ｃに示したように、包囲部材８１の後端（図示上端）側からその内側に充填材９０を注入して充填し、固化させる。この充填材９０により、中継線２５はその後端寄り部位２６において絶縁管４１に固定されるのは上記した通りである。
【００４７】
その後、図６−Ａに示したように、中継線２５の後端部２６に端子金具２８を溶接し、その圧着部２９にて、リード線５１の先端寄り部位（芯線）５３を圧着して接続する。なお、この接続前、リード線５１は、シール部材７１の貫通孔７７に通しておくと共に、絶縁用のパイプ９５を外嵌しておく。そして、これらを、図６−Ｂに示したように設定位置にスライドして位置決めした組付け体を得る。
【００４８】
その後はこの組付け体を、先端の素子２１から、図７−Ａに示した取付金具６１が外嵌、固定されたチューブ１１内に、図７−Ｂに示したように挿入する。ただし、この挿入前のチューブ１１内には、本例では、図７−Ａに示したように、固化前の第２充填材１９０を適量入れておく。そして、その挿入においては、図７−Ｂに示したように、包囲部材８１の先端８２の外周縁を、チューブ１１における拡径部１６の後端向き面１６ａに係止させて、その位置決めをする。このとき、後端側大径筒部１７の設定位置にシール部材７１を位置させる。その後、チューブ１１内の充填材９０を固化させる。これにより、絶縁管４１を含むそれより先方に位置する部材が、チューブ１１内において固定される。
【００４９】
かくして、その固定後は、チューブ１１の後端側大径筒部１７の後端寄り部位１７ｃを例えば全周、縮径状に丸カシメ加工し、シール部材７１を径方向に圧縮する。こうすることで、チューブ１１の後端におけるシールが確保されると共に、リード線５１が固定され、図１に示した温度センサ１０１が得られる。
【００５０】
このようなセンサ１０１の組立においては、包囲部材８１の先端８２の外周縁を、チューブ１１における拡径部１６の後端向き面１６ａに係止させることで、その位置決めができるため、組み付けの簡易化が図られる。なお、包囲部材８１の先端８２をこのように係止させる場合において、チューブ１１の内周面と、絶縁管４１の外周面４６との間における、先後方向の所定部位の空間に、上記したように第２充填材１９０を充填する場合には、チューブ１１内における包囲部材８１の先端８２より先方の空間が閉塞空間とならないように、切り込み８８を設けるなどして、その先後の空間が連通するようにするのがよいことは上記したとおりである。次に、このような連通を確保する手段を具体化したセンサの改良例について、図８、図９に基づいて説明する。なお、この例では、その連通確保手段（包囲部材の形状、構造）のみが、上記例のセンサ１０１と相違するだけであるから、その相違点のみ説明する。
【００５１】
図８は図２に対応する部位の図である。図８に示したように、本例では包囲部材８１は、その外周面８６の先端寄り部位に、先後に沿って先端８２に連なる凹溝をなす切り込み８８が、例えば、周方向において３箇所、形成されている（図９参照）。しかして、本例では、この切り込み（凹溝）８８により、チューブ１１内における包囲部材８１の先端８２より先方の空間と、後方の空間とが、包囲部材８１の外周面８６とチューブ１１の内周面との隙間を介して連通するものとされている。すなわち、このような連通確保手段は、包囲部材８１を適宜の形状、構造とすることで得られることは明らかである。図１０は、その変形例を示したもので、Ａは、包囲部材８１を外周面８６を円筒としたものにおいて、対向する２面を平面でカットしたものである。また、図１０−Ｂは、包囲部材８１を外周面８６が多角形としたものである。いずれも、外周面における平面の先端が、図８における拡径部１６の後端向き面１６ａとの間において隙間ができるため、包囲部材８１の先端において、その先後の空間が連通するため、その先端より先方の空間が閉塞空間とならないようにすることができる。
【００５２】
なお、上記もしたように、包囲部材８１の内周面側に充填した充填材９０により中継線２５を、その後端寄り部位２６において絶縁管４１に固定した後（図５−Ｃ参照）においては、絶縁管４１の孔４８の内周面と中継線２５との微小な隙間に、先端４３側から真空充填法により充填材を充填することができる。このため、要すれば、「真空充填法」により、その充填を行えばよい。なお、絶縁管４１の孔４８の内周面と中継線２５との隙間に充填される充填材は、充填材９０と同材質であることに限定されるものではない。ここで図１１に基づいて、「真空充填法」を説明する。
【００５３】
図１１に示したように、真空ポンプＶＰが取り付けられ、充填材（固化前のスラリー等の液）９０が入れられた槽２００を含む真空装置２１０を用い、包囲部材８１を固定した図示の組付け体を、その槽２００内において、絶縁管４１の先端４３寄り部位が充填材（スラリー等の液）９０中に液没するようにする。この状態で、槽２００内部の上の空間２２０を減圧するよう真空引きする。これにより、絶縁管４１の先端（下端）４３における隙間から、絶縁管４１の孔４８内の空気が抜かれて液中に泡となって放出されて浮上し、真空ポンプＶＰで外部に排出される。同時に、絶縁管４１の孔４８内には充填材９０が空気と入れ替わる形で入り込む。本例では、絶縁管４１の後端４５は充填材９０で閉塞されている。このため、その後、真空ポンプＶＰを停止して大気圧に戻しても、従来のように絶縁管４１の後端側の孔から空気を吸い込むことがない。このように、本例では、絶縁管４１内の孔４８の内周面と中継線２５との微小な隙間に真空充填法により充填材を充填することができる。これにより、中継線２５を絶縁管４１により強固に固定できるから、絶縁管４１の中継線挿通用の孔４８の少なくとも先端寄り部位にも、電気的絶縁性及び接着力のある充填材９０を充填しておくとよい。
【００５４】
さて、本発明に係る温度センサの別例について図１２に基づいて説明する。ただし、このものは、上記実施形態例において包囲部材に、セラミックではなく金属製（例えばＳＵＳ製）のものを用いた改良例とでもいうべきもので、上記例との相違点は、この点を含む２点のみである。このため、同一の部位には同一の符号を付してその説明を省略し、相違点のみについて説明する。すなわち、本例では、包囲部材８１を例えばＳＵＳ製とし、この外周面８６に対応するチューブ１１における部位を、図示したように縮径状にカシメ加工を行って、包囲部材８１がチューブ１１の内面にて挟圧されて保持されてなるものとした、というものである。これにより、包囲部材８１はチューブ１１内において強固に固定されるため、振動等の外力により、リード線５１に引張り力が作用したとしても、より一層高い上記断線防止効果が得られる。
【００５５】
また、本発明に係る温度センサの別例について図１３に基づいて説明する。ただし、このものも、上記実施形態例の改良例とでもいうべきもので、上記例との相違点は次ぎの２点のみである。このため、同一の部位には同一の符号を付してその説明を省略し、相違点のみについて説明する。すなわち、このものは、チューブ１１の内側であって前記包囲部材８１の後方に、中継線２５の後端寄り部位２６を包囲する形で、絶縁材（本例では樹脂等の絶縁材からなるパイプ９５）を介して、ＳＵＳ製の筒状体（円筒体）である金属製パイプ１１０が、チューブ１１の内面に微小な隙間を保持して同心状に配置されている。そして、金属製パイプ１１０は、自身の先端１１３を包囲部材８１の後端８３に当接又は近接状態としており、この状態において、チューブ１１における該金属パイプ１１０に対応する先後部位を縮径状にカシメ加工したものである。すなわち、このカシメ加工により、該チューブ１１の内面にて、金属パイプ１１０を径方向に変形させ、挟圧して保持するようにしたものである。このように金属パイプ１１０を配置して、チューブ１１のカシメ加工により、これを固定することによっても、その金属パイプ１１０の先端１１３にて、包囲部材８１の後方への移動を防止できるため、より一層高い上記断線防止効果が得られる。
【００５６】
本発明の温度センサは、上記したものに限定されるものではなく、本発明の要旨を逸脱しない範囲で、適宜に変更して具体化できる。上記例では、包囲部材は内径が異径の円筒状のものとしたが、本発明においては、これに限定されるものでないことは上記したとおりである。すなわち、上記の説明から明らかであるが、本発明においては、包囲部材の内周面側に充填される充填材にて、中継線の後端寄り部位を絶縁管の後端寄り部位に固定できればよい。すなわち、包囲部材は、充填材が、中継線の後端寄り部位と、絶縁管の後端寄り部位とを、言わば、一体的にくるんで固定できるものであればよいといえる。したがって本発明における包囲部材は、前記絶縁管の後端寄り部位及び該絶縁管の後端から後方に引き出されている前記中継線の後端寄り部位を、先後に連ねて包囲できる筒状又はリング状をなすものであれば、適宜の形状、構造のものとして具体化できることは明らかである。なお、本発明の温度センサは、排気ガスの温度測定用のものに限定されるものでもなく、他の用途に使用されるものにも広く適用できる。
【符号の説明】
【００５７】
１１  チューブ
１２  チューブの先端
１６  チューブの拡径部
１６ａ  チューブの拡径部の後端向き面
１７  チューブの後端寄り部位
１９  チューブの後端
２１  温度センサ素子
２３  温度センサ素子の電極線
２５  中継線
２６  中継線の後端寄り部位
４１  絶縁管
４５  絶縁管の後端
４６  絶縁管の外周面
４７  絶縁管の後端寄り部位
４８  絶縁管の中継線挿通用の孔
５１  リード線
７１  シール部材
８１  包囲部材
８４，８５  包囲部材の内周面
９０  充填材
１０１  温度センサ
１９０  第２充填材
【図１】
0005564528.tif 000002
【図２】
0005564528.tif 000003
【図３】
0005564528.tif 000004
【図４】
0005564528.tif 000005
【図５】
0005564528.tif 000006
【図６】
0005564528.tif 000007
【図７】
0005564528.tif 000008
【図８】
0005564528.tif 000009
【図９】
0005564528.tif 000010
【図１０】
0005564528.tif 000011
【図１１】
0005564528.tif 000012
【図１２】
0005564528.tif 000013
【図１３】
0005564528.tif 000014